(57)【要約】【課題】ボンネットを開いて行うエンジン等のメンテナンス作業時において、ボンネットから突出してプレクリーナケースと連結する吸気筒を囲っている円環状弾性体のグロメットを取り外さなければならず、作業が面倒であった。【解決手段】車体３に搭載したエンジンＥと、前記エンジンＥの冷却水を冷却するラジエータ２３と、前記エンジンＥへの吸気を浄化するエアークリーナ２２をボンネット５内に装着するトラクタにおいて、前記エアークリーナ２２をラジエータ支持枠２０に取り付けると共に、前記エアークリーナ２２から前記ボンネット５上に向ける外吸気筒１６を前記ラジエータ支持枠２０で支持し、前記外吸気筒１６に対してプレクリーナを収納するプレクリーナケース６の吸気筒７を上方から嵌合して着脱可能に取り付けたことを特徴とするトラクタの構成とする。【選択図】図３
2019026053.tif 000002
【特許請求の範囲】
【請求項１】
車体（３）に搭載したエンジン（Ｅ）と、前記エンジン（Ｅ）の冷却水を冷却するラジエータ（２３）と、前記エンジン（Ｅ）への吸気を浄化するエアークリーナ（２２）をボンネット（５）内に装着するトラクタにおいて、
前記エアークリーナ（２２）をラジエータ支持枠（２０）に取り付けると共に、前記エアークリーナ（２２）から前記ボンネット（５）上に向ける外吸気筒（１６）を前記ラジエータ支持枠（２０）で支持し、前記外吸気筒（１６）に対してプレクリーナを収納するプレクリーナケース（６）の吸気筒（７）を上方から嵌合して着脱可能に取り付けたことを特徴とするトラクタ。
【請求項２】
前記吸気筒（７）の下部を内外の差込内筒（７ａ）と差込外筒（７ｂ）として構成し、前記差込内筒（７ａ）と前記差込外筒（７ｂ）の隙間に前記外吸気筒（１６）を嵌合して一体に連結することを特徴とする請求項１に記載のトラクタ。
【請求項３】
前記差込外筒（７ｂ）と前記吸気筒（７）の上部を実質上同径とし、前記吸気筒（７）の下部を加工して前記差込内筒（７ａ）としたことを特徴とする請求項２に記載のトラクタ。
【発明の詳細な説明】
【技術分野】
【０００１】
本発明は、圃場で耕耘作業等を行うトラクタに関し、特にトラクタのプレクリーナ取付構造に関する。
【背景技術】
【０００２】
トラクタは前後四輪で走行する車体の前部に搭載したエンジンを覆ってボンネットを設け、その後部に作業者が搭乗して操縦操作を行う操縦席を設け、車体後部にロータリ作業機等を搭載する。
【０００３】
トラクタに搭載したエンジンへの吸気を行うエアークリーナは、圃場作業で発生する塵埃を出来るだけ吸い込まないようにするために、特許文献１に記載の如く、ボンネットから上方に突出して設ける吸気筒上部のプレクリーナを介して吸気するようにしている。
【先行技術文献】
【特許文献】
【０００４】
【特許文献１】特開２００４−２９９６３５号公報
【発明の概要】
【発明が解決しようとする課題】
【０００５】
前記従来のトラクタでは、ボンネットから突出させる吸気筒を円環状弾性体であるグロメットで囲っているために、ボンネットを開いて行うエンジンのメンテナンス作業時にグロメットを取り外さなければならず、作業が面倒である。
【０００６】
本発明は、従来のトラクタの上記課題に鑑みて、ボンネット上のプレクリーナを介してエアークリーナに外気導入を行うトラクタにおいて、プレクリーナの車体支持を簡単な構成で確実にすると共に、ボンネットを開く際にプレクリーナの取り外しが容易で、ボンネット内のエンジン等のメンテナンス作業を行い易くすることを目的とする。
【課題を解決するための手段】
【０００７】
上記従来の課題は、次の技術手段により解決される。
【０００８】
請求項１の発明は、車体（３）に搭載したエンジン（Ｅ）と、前記エンジン（Ｅ）の冷却水を冷却するラジエータ（２３）と、前記エンジン（Ｅ）への吸気を浄化するエアークリーナ（２２）をボンネット（５）内に装着するトラクタにおいて、
前記エアークリーナ（２２）をラジエータ支持枠（２０）に取り付けると共に、前記エアークリーナ（２２）から前記ボンネット（５）上に向ける外吸気筒（１６）を前記ラジエータ支持枠（２０）で支持し、前記外吸気筒（１６）に対してプレクリーナを収納するプレクリーナケース（６）の吸気筒（７）を上方から嵌合して着脱可能に取り付けたことを特徴とするトラクタとする。
【０００９】
請求項２の発明は、前記吸気筒（７）の下部を内外の差込内筒（７ａ）と差込外筒（７ｂ）として構成し、前記差込内筒（７ａ）と前記差込外筒（７ｂ）の隙間に前記外吸気筒（１６）を嵌合して一体に連結することを特徴とする請求項１に記載のトラクタとする。
【００１０】
請求項３の発明は、前記差込外筒（７ｂ）と前記吸気筒（７）の上部を実質上同径とし、前記吸気筒（７）の下部を加工して前記差込内筒（７ａ）としたことを特徴とする請求項２に記載のトラクタとする。
【発明の効果】
【００１１】
請求項１の発明で、ラジエータ支持枠２０は、エンジンとは別に車体３に支持されてエンジンの振動を受け難いが、そのラジエータ支持枠２０にエアークリーナ２２と外吸気筒１６を支持することで、部品構成を簡略化して製造コストを低減出来る。
【００１２】
請求項２の発明で、請求項１の効果に加えて、吸気筒７の差込内筒７ａと差込外筒７ｂの間隙に外吸気筒１６を嵌合することで連結が強固になって外吸気筒１６の支持が安定し、プレクリーナケース６の吸気筒７がトラクタ作業中に外れる虞が無い。
【００１３】
請求項３の発明で、請求項１或いは請求項２の効果に加えて、ボンネット５から突出する吸気筒７のストレート形状で外観が良好になる。
【図面の簡単な説明】
【００１４】
【図１】本発明実施形態のトラクタの正面斜視図である。
【図２】プレクリーナケースの側面図である。
【図３】プレクリーナケース取付部の斜視図である。
【図４】キャビン内を左前方から見た斜視図である。
【図５】外部油圧操作レバーの取付部斜視図である。
【図６】ミッションケース上面を左前方から見た斜視図である。
【図７】油圧バルブの斜視図である。
【図８】トラクタ後部の三点リンク連結部斜視図である。
【発明を実施するための形態】
【００１５】
以下、本発明の実施形態を図面に示す実施例を参照しながら説明する。なお、実施例の説明においては、機体の前進方向に向かって左右方向をそれぞれ左、右といい、前進方向を前、後退方向を後というが、本発明の構成を限定するものでは無い。
【００１６】
図１に示すように、トラクタは、左右の前輪１，１と左右の後輪２，２で走行する車体３上に、作業者が搭乗するキャビン４とボンネット５で覆われたエンジンＥを設け、キャビン４内には操縦席２４やハンドル等の操縦装置を設けている。さらに、車体３上に、ボンネット５で覆われたエンジンＥやラジエータ２３や油圧ポンプやミッションケース４０の一部を設けている。車体３の後部（ミッションケース４０後部）に作業機を装着する左右ヒッチ４２Ｌ，４２Ｒを設けている。左右の後輪２，２は、上部をキャビン４内に入り込む強固なフェンダ５２で覆っている。後輪２は、重い鋳物製ディスクで幅広タイヤとして牽引力を強くすると良い。
【００１７】
ボンネット５の前右側にプレクリーナを内装するプレクリーナケース６を吸気管７で立設し、ボンネット５の後部側でエンジンＥの右側面にエンジンＥの排気を排出する排気菅８を連結して上方に向けて立設している。
【００１８】
キャビン４の左右側部には取手１５を付けたサイドドア９，９と昇降ステップ１１，１１を設け、前窓１３の上部左右にサイドミラー１０，１０を設け、前窓１３の上部左右に前方を照らす作業灯１４，１４を設けている。符号１２は燃料の給油キャップである。
【００１９】
図２と図３は、プレクリーナを内装するプレクリーナケース６の取付支持部を示し、ボンネット５内でエンジンＥを車体３に搭載し、エンジンの前側でラジエータ２３をラジエータ支持枠２０で車体３に支持している。エアークリーナ２２の吸気口２２ａに通じる内吸気筒１７と上部に起立する外吸気筒１６を設けた吸気ブラケット１８を、ボルト１９でラジエータ支持枠２０とエアクリーナ２２を連結するエアクリーナ支持ブラケット２２ｂに取り付けている。符号２２ｃは、エアクリーナ２２とエンジンＥを連結する連結パイプである。
【００２０】
即ち、吸気ブラケット１８の下側に内吸気筒１７を構成し、吸気ブラケット１８の上側に外吸気筒１６を構成しているが、外吸気筒１６の中心は、内吸気筒１７の中心に対して右側に約１ｃｍ程度偏位している。これは、ボンネット５の設計変更を不要とするためである。プレクリーナケース６を設けない型式のボンネット５の上部には、冷却風取り込み用の孔が開けられていて網が取り付けられている。この網の部分に孔を開けるのみの構成で、プレクリーナケース６を取り付け可能に構成したので、ボンネット５の設計変更が不要となる。前記偏位が構成されていても、吸入空気量は約８０％程度を確保できるため、問題は無い。
【００２１】
吸気筒７は、上部にプレクリーナケース６の筒部を外嵌してバンド２１で締めつけて取り付け、下部を小径に絞った差込内筒７ａとし、その外に吸気筒７と同じ外径の差込外筒７ｂを上部で吸気筒７に密着溶接している。前記吸気筒７の下部を絞り加工して前記差込内筒７ａとしたので、部品点数の増加を抑制でき、と差込外筒７ｂの外径が吸気筒７の外径より大きくなるのを防止できる。
【００２２】
差込内筒７ａと差込外筒７ｂの隙間に外吸気筒１６が入るように差し込んで吸気筒７を支持するので、固定具を設けなくても安定して保持され、ボンネット５を開く場合には、工具を使用せずに吸気筒７を速やかに上方に抜き外すことで、プレクリーナケース６がメンテナンスの邪魔にならない。
【００２３】
即ち、外吸気筒１６の内外にそれぞれ差込内筒７ａと差込外筒７ｂが存在し、さらに、外吸気筒１６と差込内筒７ａとの隙間、及び外吸気筒１６と差込外筒７ｂとの隙間は、極めて短い寸法にして密着に近い状態に構成しているので、プレクリーナケース６は振動せず、圃場での作業時にも安定している。前記外吸気筒１６の差し込み代が長すぎると抜き差しがしにくくなるので、差し込み代は約５ｃｍ程度に構成した。
【００２４】
操縦席２４に着座した状態での前方視認性を確保するため、プレクリーナケース６を比較的高い位置に構成した。ボンネット５の上面から約２５ｃｍに配置した。また、プレクリーナケース６を安定させるため、部品点数を少なくして重量を軽くした。
【００２５】
図４は、キャビン４の内部斜視図で、操縦席２４の右側側部にステップフロアー２５から立設する主変速レバー２６と副変速レバー２７を設け、右フェンダ５２に取り付けた右サイドパネル２８に、作業機高さ調節レバー２９と自動昇降スイッチ３０と外部油圧操作レバー３１を設けている。自動昇降スイッチ３０は作業機に加わる負荷が増大すると自動で作業機を上昇させて負荷を低減させる機能で、ダイヤルによって上昇幅を調整出来る。作業機の負荷は、三点リンクの上リンクと取付ブラケットをトーションバーで連結し、トーションバーの捩れによる前後の動きを角度センサで検出し、一定以上の角度で油圧バルブ３７に上昇信号を出力する。自動昇降が不要の場合は、上リンクと取付ブラケットをピンで連結してトーションバーの捩れを抑制する。
【００２６】
外部油圧操作レバー３１の隣に二列のガイド溝を設けているが、このガイド溝に第二、第三の外部油圧出力レバーを追加することが可能である。
【００２７】
図５は、外部油圧操作レバー３１の取付を示す斜視図で、右サイドパネル２８内の右フェンダ５２に取り付けるレバーブラケット３５の軸支部３２に設けるレバー軸３３に外部油圧操作レバー３１を軸支し、外部油圧操作レバー３１のワイヤ取付部３１ｄに油圧バルブ３７のスプールに連結する油圧操作ワイヤ３４を連結している。油圧操作ワイヤ３４は防水性のプッシュケーブルで、ワイヤ受３５ｂに取り付ける調節ナット３６でインナーワイヤに対するアウタワイヤの位置を調節して外部油圧操作レバー３１と油圧バルブ３７の連動を調節する。
【００２８】
レバーブラケット３５は、外部油圧操作レバー３１ａの他に第二と第三の外部油圧出力レバー３１ｂ、３１ｃを並んで追加出来る幅を有している。第一外部油圧操作レバー３１ａと第三外部油圧操作レバー３１ｃは外向きに曲げ、第二外部油圧操作レバー３１ｂは真っ直ぐとして操作し易くすると良い。第三外部油圧操作レバー３１ｃの取り付け構成は、第二と第三の外部油圧出力レバー３１ｂ、３１ｃと同じ構成であるので、詳細構成を省略している。
【００２９】
図６は、ミッションケース４０の後部側の斜視図で、左右の後輪２を装着する後輪フランジ４３を一体的に組み付けたミッションケース４０の後部に作業機を装着する三点リンクを取り付ける左右ヒッチ４２Ｌ，４２Ｒを設け、その上部に枢支する左右リフトアーム４１Ｌ，４１Ｒを構成している。左リフトアーム４１Ｌと左ヒッチ４２Ｌとの間に昇降シリンダ３９を取り付け、ミッションケース４０の後上部に取り付けるバルブブラケット５１に設ける油圧バルブ３７と昇降シリンダ３９を保護コイルを巻いた油圧ホース３８で連結している。油圧バルブ３７はミッションケース４０内の油圧ポンプからの圧油の流れを制御するものである。
【００３０】
昇降シリンダ３９の上昇力が不足する場合には、右リフトアーム４１Ｒと右ヒッチ４２Ｒの間に第二の昇降シリンダを追加し、さらに、第三の昇降シリンダを追加することもある。第二の昇降シリンダと第三の昇降シリンダは、昇降シリンダ３９のシリンダケースからアダプタで分岐して、石などの飛散部から保護する保護スプリング付きの油圧ホースで連結する。第二の昇降シリンダと第三の昇降シリンダは、ロッドを左リフトアーム４１Ｌに枢支し、シリンダ側を左ヒッチ４２Ｌにピンで差し込むようにすると良い。また、第二の昇降シリンダと第三の昇降シリンダの油圧回路は昇降シリンダ３９と並列な油圧回路とする。
【００３１】
図７は、油圧バルブ３７の斜視図で、側面視Ｌ字状のバルブアーム４６をバルブブラケット５１に設ける枢支ピン４７に軸支し、バルブアーム４６の一端側の長穴に油圧バルブ３７のスプール４８に連結する連結ピン４９をスナップピン５０で連結して。バルブアーム４６の他端に連結する油圧操作ワイヤ３４が引かれるとスプール４８がスライドして昇降シリンダ３９の伸縮作動を制御する。
【００３２】
図８は、左右リフトアーム４１Ｌ，４１Ｒと三点リンクの左右下リンク４４Ｌ，４４Ｒを長さ調節可能な左右連結ロッド４５Ｌ,４５Ｒで連結して、左右リフトアーム４１Ｒ，４１Ｌの昇降回動で三点リンクに連結する作業機を昇降する。左右リフトアーム４１Ｌ，４１Ｒは厚みを作業機の重量に応じて変更し、左右連結ロッド４５Ｌ,４５Ｒは作業機の重量に応じてロッド径を変更する。左右連結ロッド４５Ｌ,４５Ｒを回転防止パイプ付きとしても良い。
【符号の説明】
【００３３】
Ｅ  エンジン
３  車体
５  ボンネット
６  プレクリーナケース
７  吸気筒
７ａ  差込内筒
７ｂ  差込外筒
１６  外吸気筒
２０  ラジエータ支持枠
２２  エアークリーナ
２３  ラジエータ
【図１】
2019026053.tif 000003
【図２】
2019026053.tif 000004
【図３】
2019026053.tif 000005
【図４】
2019026053.tif 000006
【図５】
2019026053.tif 000007
【図６】
2019026053.tif 000008
【図７】
2019026053.tif 000009
【図８】
2019026053.tif 000010